(57)【要約】【課題】コストが低減され、且つトラフィックを正確に制御可能なトラフィック制御装置、トラフィック制御プログラム、プログラム記録媒体及びトラフィック制御方法を提供する。【解決手段】ＩＰ網１０上で送受される通話制御信号を抽出する信号抽出部２と、抽出された通話制御信号を解析し、端末１１に対する単位時間あたりの呼の接続数及び不完了呼数を測定する信号解析部４と、測定された不完了呼数と所定の閾値とを比較し、比較結果に基づいて輻輳若しくは輻輳の兆候が発生しているか否かを判定し、輻輳が発生していると判定された場合、呼の接続数を制御するにあたっての接続制御量を決定し、接続制御量及び端末１１を特定するための情報を含む輻輳制御情報を生成する輻輳判定部５と、輻輳制御情報を解析し、制御量に基づいて、端末１１への呼に対して呼損処理を行うことにより呼の接続数を制御する呼接続制御部９とを設ける。【選択図】  図１
2004304646.tif 000002
【特許請求の範囲】
【請求項１】
通信ネットワークにおける輻輳を解消するためにトラフィックを制御するトラフィック制御装置であって、
前記通信ネットワーク上で送受される通話制御信号を抽出する信号抽出手段と、
前記抽出された通話制御信号を解析し、加入者に対する単位時間あたりの呼の接続数及び不完了呼数を測定する信号解析手段と、
前記測定された不完了呼数と所定の閾値とを比較し、該比較結果に基づいて輻輳が発生しているか否かを判定し、前記判定の結果、輻輳が発生していると判定された場合、呼の接続数を制御するにあたっての制御量を決定し、該制御量及び前記加入者を特定するための情報を含む輻輳制御情報を生成する輻輳判定手段と、
前記輻輳制御情報を解析し、前記制御量に基づいて、前記加入者への呼に対して呼損処理を行うことにより呼の接続数を制御する少なくとも１個の呼接続制御手段と
を有することを特徴とするトラフィック制御装置。
【請求項２】
前記呼接続制御手段を複数個有する場合、
前記輻輳判定手段から前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理手段を有することを特徴とする請求項１に記載のトラフィック制御装置。
【請求項３】
通信ネットワークにおける輻輳を防止するためにトラフィックを制御するトラフィック制御装置であって、
前記通信ネットワーク上で送受される通話制御信号を抽出する信号抽出手段と、
前記抽出された通話制御信号を解析し、加入者に対する単位時間あたりの呼の接続数及び不完了呼数を測定する信号解析手段と、
前記測定された不完了呼数と所定の閾値とを比較し、該比較結果に基づいて輻輳の兆候が発生しているか否かを判定し、前記判定の結果、輻輳の兆候が発生していると判定された場合、呼の接続数を制御するにあたっての制御量を決定し、該制御量及び前記加入者を特定するための情報を含む輻輳制御情報を生成する輻輳判定手段と、
前記輻輳制御情報を解析し、前記制御量に基づいて、前記加入者への呼に対して呼損処理を行うことにより呼の接続数を制御する少なくとも１個の呼接続制御手段と
を有することを特徴とするトラフィック制御装置。
【請求項４】
前記呼接続制御手段を複数個有する場合、
前記輻輳判定手段から前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理手段を有することを特徴とする請求項３に記載のトラフィック制御装置。
【請求項５】
通信ネットワークにおける輻輳を解消するためにトラフィックを制御するトラフィック制御装置で用いられるトラフィック制御プログラムであって、
前記トラフィック制御装置を、
前記通信ネットワーク上で送受される通話制御信号を抽出する信号抽出手段と、
前記抽出された通話制御信号を解析し、加入者に対する単位時間あたりの呼の接続数及び不完了呼数を測定する信号解析手段と、
前記測定された不完了呼数と所定の閾値とを比較し、該比較結果に基づいて輻輳が発生しているか否かを判定し、前記判定の結果、輻輳が発生していると判定された場合、呼の接続数を制御するにあたっての制御量を決定し、該制御量及び前記加入者を特定するための情報を含む輻輳制御情報を生成する輻輳判定手段と、
前記輻輳制御情報を解析し、前記制御量に基づいて、前記加入者への呼に対して呼損処理を行うことにより呼の接続数を制御する少なくとも１個の呼接続制御手段
として機能させることを特徴とするトラフィック制御プログラム。
【請求項６】
前記トラフィック制御装置が前記呼接続制御手段を複数個有する場合、
該トラフィック制御装置を、前記輻輳判定手段から前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理手段として機能させることを特徴とする請求項５に記載のトラフィック制御プログラム。
【請求項７】
通信ネットワークにおける輻輳を防止するためにトラフィックを制御するトラフィック制御装置で用いられるトラフィック制御プログラムであって、
前記トラフィック制御装置を、
前記通信ネットワーク上で送受される通話制御信号を抽出する信号抽出手段と、
前記抽出された通話制御信号を解析し、加入者に対する単位時間あたりの呼の接続数及び不完了呼数を測定する信号解析手段と、
前記測定された不完了呼数と所定の閾値とを比較し、該比較結果に基づいて輻輳の兆候が発生しているか否かを判定し、前記判定の結果、輻輳の兆候が発生していると判定された場合、呼の接続数を制御するにあたっての制御量を決定し、該制御量及び前記加入者を特定するための情報を含む輻輳制御情報を生成する輻輳判定手段と、
前記輻輳制御情報を解析し、前記制御量に基づいて、前記加入者への呼に対して呼損処理を行うことにより呼の接続数を制御する少なくとも１個の呼接続制御手段
として機能させることを特徴とするトラフィック制御プログラム。
【請求項８】
前記トラフィック制御装置が前記呼接続制御手段を複数個有する場合、
該トラフィック制御装置を、前記輻輳判定手段から前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理手段として機能させることを特徴とする請求項７に記載のトラフィック制御プログラム。
【請求項９】
通信ネットワークにおける輻輳を解消するためにトラフィックを制御するトラフィック制御装置で用いられるトラフィック制御プログラムを記録したプログラム記録媒体であって、
前記トラフィック制御装置を、
前記通信ネットワーク上で送受される通話制御信号を抽出する信号抽出手段と、
前記抽出された通話制御信号を解析し、加入者に対する単位時間あたりの呼の接続数及び不完了呼数を測定する信号解析手段と、
前記測定された不完了呼数と所定の閾値とを比較し、該比較結果に基づいて輻輳が発生しているか否かを判定し、前記判定の結果、輻輳が発生していると判定された場合、呼の接続数を制御するにあたっての制御量を決定し、該制御量及び前記加入者を特定するための情報を含む輻輳制御情報を生成する輻輳判定手段と、
前記輻輳制御情報を解析し、前記制御量に基づいて、前記加入者への呼に対して呼損処理を行うことにより呼の接続数を制御する少なくとも１個の呼接続制御手段
として機能させるトラフィック制御プログラムを記録したことを特徴とするプログラム記録媒体。
【請求項１０】
前記トラフィック制御装置が前記呼接続制御手段を複数個有する場合、
該トラフィック制御装置を、前記輻輳判定手段から前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理手段として機能させるトラフィック制御プログラムを記録したことを特徴とする請求項９に記載のプログラム記録媒体。
【請求項１１】
通信ネットワークにおける輻輳を防止するためにトラフィックを制御するトラフィック制御装置で用いられるトラフィック制御プログラムを記録したプログラム記録媒体であって、
前記トラフィック制御装置を、
前記通信ネットワーク上で送受される通話制御信号を抽出する信号抽出手段と、
前記抽出された通話制御信号を解析し、加入者に対する単位時間あたりの呼の接続数及び不完了呼数を測定する信号解析手段と、
前記測定された不完了呼数と所定の閾値とを比較し、該比較結果に基づいて輻輳の兆候が発生しているか否かを判定し、前記判定の結果、輻輳の兆候が発生していると判定された場合、呼の接続数を制御するにあたっての制御量を決定し、該制御量及び前記加入者を特定するための情報を含む輻輳制御情報を生成する輻輳判定手段と、
前記輻輳制御情報を解析し、前記制御量に基づいて、前記加入者への呼に対して呼損処理を行うことにより呼の接続数を制御する少なくとも１個の呼接続制御手段
として機能させるトラフィック制御プログラムを記録したことを特徴とするプログラム記録媒体。
【請求項１２】
前記トラフィック制御装置が前記呼接続制御手段を複数個有する場合、
該トラフィック制御装置を、前記輻輳判定手段から前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理手段として機能させるトラフィック制御プログラムを記録したことを特徴とする請求項１１に記載のプログラム記録媒体。
【請求項１３】
通信ネットワークにおける輻輳を解消するためにトラフィックを制御するトラフィック制御装置を用いるトラフィック制御方法であって、
前記トラフィック制御装置が、
前記通信ネットワーク上で送受される通話制御信号を抽出する信号抽出ステップと、
前記抽出された通話制御信号を解析し、加入者に対する単位時間あたりの呼の接続数及び不完了呼数を測定する信号解析ステップと、
前記測定された不完了呼数と所定の閾値とを比較し、該比較結果に基づいて輻輳が発生しているか否かを判定し、前記判定の結果、輻輳が発生していると判定された場合、呼の接続数を制御するにあたっての制御量を決定し、該制御量及び前記加入者を特定するための情報を含む輻輳制御情報を生成する輻輳判定ステップと、
前記輻輳制御情報を解析し、前記制御量に基づいて、前記加入者への呼に対して呼損処理を行うことにより呼の接続数を制御する少なくとも１個の呼接続制御ステップと
を実行することを特徴とするトラフィック制御方法。
【請求項１４】
前記トラフィック制御装置が前記呼接続制御ステップを実行する呼接続制御手段を複数個有する場合、
前記トラフィック制御装置が、前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理ステップを実行することを特徴とする請求項１３に記載のトラフィック制御方法。
【請求項１５】
通信ネットワークにおける輻輳を解消するためにトラフィックを制御するトラフィック制御装置を用いるトラフィック制御方法であって、
前記トラフィック制御装置が、
前記通信ネットワーク上で送受される通話制御信号を抽出する信号抽出ステップと、
前記抽出された通話制御信号を解析し、加入者に対する単位時間あたりの呼の接続数及び不完了呼数を測定する信号解析ステップと、
前記測定された不完了呼数と所定の閾値とを比較し、該比較結果に基づいて輻輳の兆候が発生しているか否かを判定し、前記判定の結果、輻輳の兆候が発生していると判定された場合、呼の接続数を制御するにあたっての制御量を決定し、該制御量及び前記加入者を特定するための情報を含む輻輳制御情報を生成する輻輳判定ステップと、
前記輻輳制御情報を解析し、前記制御量に基づいて、前記加入者への呼に対して呼損処理を行うことにより呼の接続数を制御する少なくとも１個の呼接続制御ステップと
を実行することを特徴とするトラフィック制御方法。
【請求項１６】
前記トラフィック制御装置が前記呼接続制御ステップを実行する呼接続制御手段を複数個有する場合、
前記トラフィック制御装置が、前記輻輳制御情報を受信し、該輻輳制御情報に基づいて呼の接続数を制御させるべき呼接続制御手段を特定し、該特定された呼接続制御手段に前記輻輳制御情報を送信する輻輳制御管理ステップを実行することを特徴とする請求項１５に記載のトラフィック制御方法。
【発明の詳細な説明】
【０００１】
【発明の属する技術分野】
本発明は、ＩＰ網等の通信ネットワークにおける輻輳を解消若しくは防止するためにトラフィックを制御するトラフィック制御装置、トラフィック制御プログラム、プログラム記録媒体及びトラフィック制御方法に関する。
【０００２】
【従来の技術】
ＩＰ網等の通信ネットワークにおいては、特定の機器に通信要求が過剰に集中した際に輻輳が発生する。この輻輳は、通信ネットワークのトラフィックを制御することにより解消若しくは防止可能であり、そのための方法、装置が考案されている（例えば、特許文献１参照）。
【０００３】
【特許文献１−１】
特開２００２−２６９８１号公報（第６頁から第９頁、第５図）
【０００４】
【発明が解決しようとする課題】
しかしながら、上記のような方法、装置においては、輻輳若しくはその兆候が発生しているかを判定するための手段をルータ（中継装置）等のネットワーク構成機器毎に設けなければならないため、施工、保守点検、改良作業等におけるコストの上昇を招き、当業者に負担を強いていた。
【０００５】
このような事情に鑑み本発明は、コストが低減され、且つトラフィックを正確に制御可能なトラフィック制御装置、トラフィック制御プログラム、プログラム記録媒体及びトラフィック制御方法を提供することを目的とする。
【０００６】
【課題を解決するための手段】
請求項１に記載の本発明は、通信ネットワークにおける輻輳を解消するためにトラフィックを制御するトラフィック制御装置であって、通信ネットワーク上で送受される通話制御信号を抽出する信号抽出手段と、抽出された通話制御信号を解析し、加入者に対する単位時間あたりの呼の接続数及び不完了呼数を測定する信号解析手段と、測定された不完了呼数と所定の閾値とを比較し、比較結果に基づいて輻輳が発生しているか否かを判定し、判定の結果、輻輳が発生していると判定された場合、呼の接続数を制御するにあたっての制御量を決定し、制御量及び加入者を特定するための情報を含む輻輳制御情報を生成する輻輳判定手段と、輻輳制御情報を解析し、制御量に基づいて、加入者への呼に対して呼損処理を行うことにより呼の接続数を制御する少なくとも１個の呼接続制御手段とを有することを要旨とする。
【０００７】
請求項２に記載の本発明は、請求項１に記載の発明において、呼接続制御手段を複数個有する場合、輻輳判定手段から輻輳制御情報を受信し、輻輳制御情報に基づいて呼の接続数を制御させるべき呼接続制御手段を特定し、特定された呼接続制御手段に輻輳制御情報を送信する輻輳制御管理手段を有することを要旨とする。
【０００８】
請求項３に記載の本発明は、通信ネットワークにおける輻輳を防止するためにトラフィックを制御するトラフィック制御装置であって、通信ネットワーク上で送受される通話制御信号を抽出する信号抽出手段と、抽出された通話制御信号を解析し、加入者に対する単位時間あたりの呼の接続数及び不完了呼数を測定する信号解析手段と、測定された不完了呼数と所定の閾値とを比較し、比較結果に基づいて輻輳の兆候が発生しているか否かを判定し、判定の結果、輻輳の兆候が発生していると判定された場合、呼の接続数を制御するにあたっての制御量を決定し、制御量及び加入者を特定するための情報を含む輻輳制御情報を生成する輻輳判定手段と、輻輳制御情報を解析し、制御量に基づいて、加入者への呼に対して呼損処理を行うことにより呼の接続数を制御する少なくとも１個の呼接続制御手段とを有することを要旨とする。
【０００９】
請求項４に記載の本発明は、請求項３に記載の発明において、呼接続制御手段を複数個有する場合、輻輳判定手段から輻輳制御情報を受信し、輻輳制御情報に基づいて呼の接続数を制御させるべき呼接続制御手段を特定し、特定された呼接続制御手段に輻輳制御情報を送信する輻輳制御管理手段を有することを要旨とする。
【００１０】
請求項５に記載の本発明は、通信ネットワークにおける輻輳を解消するためにトラフィックを制御するトラフィック制御装置で用いられるトラフィック制御プログラムであって、トラフィック制御装置を、通信ネットワーク上で送受される通話制御信号を抽出する信号抽出手段と、抽出された通話制御信号を解析し、加入者に対する単位時間あたりの呼の接続数及び不完了呼数を測定する信号解析手段と、測定された不完了呼数と所定の閾値とを比較し、比較結果に基づいて輻輳が発生しているか否かを判定し、判定の結果、輻輳が発生していると判定された場合、呼の接続数を制御するにあたっての制御量を決定し、制御量及び加入者を特定するための情報を含む輻輳制御情報を生成する輻輳判定手段と、輻輳制御情報を解析し、制御量に基づいて、加入者への呼に対して呼損処理を行うことにより呼の接続数を制御する少なくとも１個の呼接続制御手段として機能させることを要旨とする。
【００１１】
請求項６に記載の本発明は、請求項５に記載の発明において、トラフィック制御装置が呼接続制御手段を複数個有する場合、トラフィック制御装置を、輻輳判定手段から輻輳制御情報を受信し、輻輳制御情報に基づいて呼の接続数を制御させるべき呼接続制御手段を特定し、特定された呼接続制御手段に輻輳制御情報を送信する輻輳制御管理手段として機能させることを要旨とする。
【００１２】
請求項７に記載の本発明は、通信ネットワークにおける輻輳を防止するためにトラフィックを制御するトラフィック制御装置で用いられるトラフィック制御プログラムであって、トラフィック制御装置を、通信ネットワーク上で送受される通話制御信号を抽出する信号抽出手段と、抽出された通話制御信号を解析し、加入者に対する単位時間あたりの呼の接続数及び不完了呼数を測定する信号解析手段と、測定された不完了呼数と所定の閾値とを比較し、比較結果に基づいて輻輳の兆候が発生しているか否かを判定し、判定の結果、輻輳の兆候が発生していると判定された場合、呼の接続数を制御するにあたっての制御量を決定し、制御量及び加入者を特定するための情報を含む輻輳制御情報を生成する輻輳判定手段と、輻輳制御情報を解析し、制御量に基づいて、加入者への呼に対して呼損処理を行うことにより呼の接続数を制御する少なくとも１個の呼接続制御手段として機能させることを要旨とする。
【００１３】
請求項８に記載の本発明は、請求項７に記載の発明において、トラフィック制御装置が呼接続制御手段を複数個有する場合、トラフィック制御装置を、輻輳判定手段から輻輳制御情報を受信し、輻輳制御情報に基づいて呼の接続数を制御させるべき呼接続制御手段を特定し、特定された呼接続制御手段に輻輳制御情報を送信する輻輳制御管理手段として機能させることを要旨とする。
【００１４】
請求項９に記載の本発明は、通信ネットワークにおける輻輳を解消するためにトラフィックを制御するトラフィック制御装置で用いられるトラフィック制御プログラムを記録したプログラム記録媒体であって、トラフィック制御装置を、通信ネットワーク上で送受される通話制御信号を抽出する信号抽出手段と、抽出された通話制御信号を解析し、加入者に対する単位時間あたりの呼の接続数及び不完了呼数を測定する信号解析手段と、測定された不完了呼数と所定の閾値とを比較し、比較結果に基づいて輻輳が発生しているか否かを判定し、判定の結果、輻輳が発生していると判定された場合、呼の接続数を制御するにあたっての制御量を決定し、制御量及び加入者を特定するための情報を含む輻輳制御情報を生成する輻輳判定手段と、輻輳制御情報を解析し、制御量に基づいて、加入者への呼に対して呼損処理を行うことにより呼の接続数を制御する少なくとも１個の呼接続制御手段として機能させるトラフィック制御プログラムを記録したことを要旨とする。
【００１５】
請求項１０に記載の本発明は、請求項９に記載の発明において、トラフィック制御装置が呼接続制御手段を複数個有する場合、トラフィック制御装置を、輻輳判定手段から輻輳制御情報を受信し、輻輳制御情報に基づいて呼の接続数を制御させるべき呼接続制御手段を特定し、特定された呼接続制御手段に輻輳制御情報を送信する輻輳制御管理手段として機能させるトラフィック制御プログラムを記録したことを要旨とする。
【００１６】
請求項１１に記載の本発明は、通信ネットワークにおける輻輳を防止するためにトラフィックを制御するトラフィック制御装置で用いられるトラフィック制御プログラムを記録したプログラム記録媒体であって、トラフィック制御装置を、通信ネットワーク上で送受される通話制御信号を抽出する信号抽出手段と、抽出された通話制御信号を解析し、加入者に対する単位時間あたりの呼の接続数及び不完了呼数を測定する信号解析手段と、測定された不完了呼数と所定の閾値とを比較し、比較結果に基づいて輻輳の兆候が発生しているか否かを判定し、判定の結果、輻輳の兆候が発生していると判定された場合、呼の接続数を制御するにあたっての制御量を決定し、制御量及び加入者を特定するための情報を含む輻輳制御情報を生成する輻輳判定手段と、輻輳制御情報を解析し、制御量に基づいて、加入者への呼に対して呼損処理を行うことにより呼の接続数を制御する少なくとも１個の呼接続制御手段として機能させるトラフィック制御プログラムを記録したことを要旨とする。
【００１７】
請求項１２に記載の本発明は、請求項１１に記載の発明において、トラフィック制御装置が呼接続制御手段を複数個有する場合、トラフィック制御装置を、輻輳判定手段から輻輳制御情報を受信し、輻輳制御情報に基づいて呼の接続数を制御させるべき呼接続制御手段を特定し、特定された呼接続制御手段に輻輳制御情報を送信する輻輳制御管理手段として機能させるトラフィック制御プログラムを記録したことを要旨とする。
【００１８】
請求項１３に記載の本発明は、通信ネットワークにおける輻輳を解消するためにトラフィックを制御するトラフィック制御装置を用いるトラフィック制御方法であって、トラフィック制御装置が、通信ネットワーク上で送受される通話制御信号を抽出する信号抽出ステップと、抽出された通話制御信号を解析し、加入者に対する単位時間あたりの呼の接続数及び不完了呼数を測定する信号解析ステップと、測定された不完了呼数と所定の閾値とを比較し、比較結果に基づいて輻輳が発生しているか否かを判定し、判定の結果、輻輳が発生していると判定された場合、呼の接続数を制御するにあたっての制御量を決定し、制御量及び加入者を特定するための情報を含む輻輳制御情報を生成する輻輳判定ステップと、輻輳制御情報を解析し、制御量に基づいて、加入者への呼に対して呼損処理を行うことにより呼の接続数を制御する少なくとも１個の呼接続制御ステップとを実行することを要旨とする。
【００１９】
請求項１４に記載の本発明は、請求項１３に記載の発明において、トラフィック制御装置が呼接続制御ステップを実行する呼接続制御手段を複数個有する場合、トラフィック制御装置が、輻輳制御情報を受信し、輻輳制御情報に基づいて呼の接続数を制御させるべき呼接続制御手段を特定し、特定された呼接続制御手段に輻輳制御情報を送信する輻輳制御管理ステップを実行することを要旨とする。
【００２０】
請求項１５に記載の本発明は、通信ネットワークにおける輻輳を解消するためにトラフィックを制御するトラフィック制御装置を用いるトラフィック制御方法であって、トラフィック制御装置が、通信ネットワーク上で送受される通話制御信号を抽出する信号抽出ステップと、抽出された通話制御信号を解析し、加入者に対する単位時間あたりの呼の接続数及び不完了呼数を測定する信号解析ステップと、測定された不完了呼数と所定の閾値とを比較し、比較結果に基づいて輻輳の兆候が発生しているか否かを判定し、判定の結果、輻輳の兆候が発生していると判定された場合、呼の接続数を制御するにあたっての制御量を決定し、制御量及び加入者を特定するための情報を含む輻輳制御情報を生成する輻輳判定ステップと、輻輳制御情報を解析し、制御量に基づいて、加入者への呼に対して呼損処理を行うことにより呼の接続数を制御する少なくとも１個の呼接続制御ステップとを実行することを要旨とする。
【００２１】
請求項１６に記載の本発明は、請求項１５に記載の発明において、トラフィック制御装置が呼接続制御ステップを実行する呼接続制御手段を複数個有する場合、トラフィック制御装置が、輻輳制御情報を受信し、輻輳制御情報に基づいて呼の接続数を制御させるべき呼接続制御手段を特定し、特定された呼接続制御手段に輻輳制御情報を送信する輻輳制御管理ステップを実行することを要旨とする。
【００２２】
【発明の実施の形態】
以下、図面を用いつつ本発明のトラフィック制御装置、トラフィック制御プログラム、プログラム記録媒体、及びトラフィック制御方法についての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これらに関する反復説明は省略する。
【００２３】
図１は本発明の一実施の形態に係るトラフィック制御装置の構成を示すブロック図である。
トラフィック制御装置は、信号抽出装置１に設けられた信号抽出部２と、輻輳検知装置３に設けられた信号解析部４及び輻輳判定部５と、輻輳制御管理装置６に設けられた輻輳制御管理部７と、呼接続制御装置８ａに設けられた呼接続制御部９ａと、呼接続制御装置８ｂに設けられた呼接続制御部９ｂとを有する。
【００２４】
また、呼接続制御装置８ａ（呼接続制御部９ａ）は信号抽出装置１（信号抽出部２）及びＩＰ（Ｉｎｔｅｒｎｅｔ  Ｐｒｏｔｏｃｏｌ）網１０ａを介してＩＰ電話端末（以下、“端末”とする）１１ａ、１１ｂ及び１１ｃと接続され、呼接続制御装置８ｂ（呼接続制御部９ｂ）は信号抽出装置１（信号抽出部２）及びＩＰ網１０ｂを介して端末１１ｄ、１１ｅ及び１１ｆと接続されている。
【００２５】
なお、本実施の形態においては、呼接続制御装置と呼接続制御部を其々２個有する構成としたが、これに限定されず、其々を１個あるいは３個以上有する構成とすることもできる。
【００２６】
また、呼接制御装置８ａ及び８ｂを適宜“呼接続制御装置８”、呼接続制御部９ａ及び９ｂを適宜“呼接続制御部９”、ＩＰ網１０ａ及び１０ｂを適宜“ＩＰ網１０”、端末１１ａ、１１ｂ、１１ｃ、１１ｄ、１１ｅ及び１１ｆを適宜“端末１１”と総称する。
【００２７】
また、本図においては、説明を容易にするため、ソフトスイッチ等のＩＰ電話網を実現するための機器の記載は省略している。
【００２８】
信号抽出部２は、ＩＰ網１０を介して端末１１間で送受される通話制御信号を抽出し、信号解析部４は、抽出された通話制御信号を解析し、端末１１に対する単位時間あたりの呼の接続数、つまり完了呼数と、接続されなかった呼の数、つまり不完了呼数（以下、適宜“あふれ呼数”と呼称する）を測定する。
【００２９】
輻輳判定部５は、測定された不完了呼数と所定の閾値とを比較し、比較結果に基づいて輻輳若しくは輻輳の兆候が発生しているか否かを判定し、判定の結果、輻輳若しくは輻輳の兆候が発生していると判定された場合、呼の接続数を制御するにあたっての接続制御量を決定し、接続制御量及び呼が集中している端末（例えば１１ａ）を特定するための情報（電話番号等）を含む輻輳制御情報（制御依頼）を生成する。
【００３０】
輻輳制御管理部７は、輻輳制御管理部から輻輳制御情報を受信し、輻輳制御情報に基づいて呼の接続数を制御させるべき呼接続制御部（本図においては呼接続制御部９ａ）を特定し、呼接続制御部９ａに輻輳制御情報を送信する。なお、呼の接続数を制御する呼接続制御部を“制御元”と呼ぶ。
【００３１】
呼接続制御部９は、輻輳制御情報を解析し、接続制御量に基づいて、加入者への呼に対して呼損処理を行うことにより呼の接続数を制御する。これにより輻輳の解消若しくは防止が可能となる。
【００３２】
また、信号抽出部がＩＰ網上で送受される通話制御信号を抽出し、輻輳判定部５が一括して判定を行うため、輻輳若しくはその兆候が発生しているかを判定するための手段をネットワーク構成機器其々に設ける必要がなく、コストの低減が可能となる。
なお、上記の動作は所定の周期に則り、反復して行われる。
【００３３】
図２は、図１の信号抽出部２の構成を示すブロック図であり、信号抽出部２は、通話制御信号を中継する通話制御信号中継部２１と、通話制御信号を複製する通話制御信号複製部２２と、複製された通話制御信号を信号解析部４に送信する。
【００３４】
つまり、この信号抽出部２の動作は、図７に示すとおり、通話制御信号のみを抽出し、これを複製し、信号解析部に送信する。
【００３５】
図３は、図１の信号解析部４の構成を示すブロック図であり、信号解析部４は、信号抽出部２より通話制御信号を受信する通話制御信号受信部４１と、受信された通話制御信号を解析し、あふれ呼数を測定するあふれ呼数測定部４２と、接続呼数を測定する接続呼数測定部４３と、あふれ呼数測定部４２及び接続呼数測定部４３の測定結果を輻輳判定部５に送信する測定結果送信部４４を有する。
【００３６】
前記のあふれ呼数測定部４２により測定されるあふれ呼数は、下記の式（１）により表される。
【００３７】
【数１】
2004304646.tif 000003
【００３８】
上記の式（１）におけるｙ１は、あふれ呼数を指し、ｘ１は個々の端末におけるあふれ呼（不完了呼）数を指し、ｔ０はあふれ呼数の測定周期の起点（但し、測定の初回はあふれ呼の発生した時刻）を指し、ｔ１はあふれ呼数測定周期の終点を指す。
つまり、測定されるあふれ呼数は、監視対象である端末におけるあふれ呼数の単位時間あたりの総量である。
【００３９】
前記の接続呼数測定部４３により測定される接続呼数は、下記の式（２）により表される。
【００４０】
【数２】
2004304646.tif 000004
【００４１】
上記の式（２）におけるｙ２は、接続呼数を指し、ｘ２は個々の端末における接続呼（完了呼）数を指し、ｔ０は接続呼数の測定周期の起点を指し、ｔ１は接続呼数測定周期の終点を指す。
つまり、測定される接続呼数は、監視対象である端末における接続呼数の単位時間あたりの総量である。
【００４２】
図４は、図１の輻輳判定部５の構成を示すブロック図である。
測定結果受信部５１は、信号解析部４より測定結果を受信し、判定実行部５２は、受信された測定結果に基づいて、輻輳若しくは輻輳の兆候が発生しているか否かを判定する。
【００４３】
優先順位決定部５３は、輻輳若しくは輻輳の兆候が複数存在しており、且つ優先して解消又は防止すべき輻輳が定められている場合、以降の処理の優先順位を決定する。
【００４４】
接続制御量決定部５４は、前述の輻輳制御量を決定する。これにあたっては、優先順位決定部５３により定められた優先順位も反映される。
【００４５】
輻輳制御情報生成部５５は、輻輳制御量と呼が集中している端末の電話番号等を含む輻輳制御情報を生成し、輻輳制御情報送信部５６は、生成された輻輳制御情報を輻輳制御管理部７に送信する。
なお、制御状況情報受信部５７及び制御状況情報蓄積部５８については後述する。
【００４６】
また、前記の輻輳判定は、あふれ呼数の測定結果（測定周期単位の累計値）に基づいて行われ、端末のあふれ呼数が前述の閾値より大であれば輻輳若しくは輻輳の兆候が発生していると判定される。
【００４７】
但し、すでに接続制御中の端末については、接続制御が解除されるまで、判定は行われない。
【００４８】
また、接続制御量は、制御コード総量（呼数／分）で表され、この制御コード総量は、候補Ａ、候補Ｂ及び候補Ｃの最大値である。
【００４９】
候補Ａは、デフォルトの値（呼数／制御処理周期）であり、候補Ｂは、前述の式（２）により得られた値と所定の制御量算出係数の積（呼数／制御処理周期）であり、候補Ｃは、前制御周期に適用した接続制御量である。
【００５０】
但し、まだ一度たりとも制御依頼が行われていない、つまり輻輳制御情報が送信されていない場合は、候補Ｃは存在せず、候補Ａ及びＢのみを用いて制御コード総量が算出される。
【００５１】
図５は、輻輳制御管理部７の構成を示すブロック図である。
測定結果受信部７１は、輻輳判定部５より輻輳制御情報を受信し、制御元決定部７２は、どの端末がどの呼接続制御部に接続されているか、つまりどの端末を管理下においているかを把握しており、輻輳制御情報に含まれる電話番号から接続制御すべき呼接続制御部、つまり制御元（図１に示した例においては、呼接続制御部９ａ）を特定する。
【００５２】
接続制御指示信号生成部７３は、制御元が特定されると、受信された輻輳制御情報に基づいて接続制御指示信号を生成し、接続制御指示信号送信部７４は、生成された接続制御指示信号を特定された制御元に送信する。
【００５３】
なお、制御元決定部７２を設けず、つまり、制御元を特定せず、接続制御指示信号を全ての呼接続制御部（図１に示した例においては、呼接続制御部９ａ及び９ｂ）に送信し、呼接続制御部の其々が接続制御指示信号を解析し、この結果、接続制御の対象となる端末が管理下にあれば、その対象に対する接続制御を行う。
なお、指示応答信号受信部７５、トラフィック情報受信部７６、制御状況情報生成部７７及び制御状況情報送信部７８については後述する。
【００５４】
図６は、図１の呼接続制御部９の構成を示すブロック図である。
接続制御指示信号受信部９１は、輻輳制御管理部７から接続制御指示信号を受信し、接続制御実行部９２は、受信された接続制御指示信号に基づいて、つまり接続制御量に基づいて接続制御を行う。この接続制御量に定められた所定の接続数を維持するために、余剰分の呼の接続は行われない。これを呼損処理という。
【００５５】
指示応答信号生成部９３は、接続制御実行部により接続制御が行われると、その旨を記した指示応答信号を生成し、指示応答信号送信部９４は、生成された指示応答信号を輻輳制御管理部７に送信する。
【００５６】
また、トラフィック監視部９５は、ＩＰ網１０におけるトラフィックを監視し、トラフィック情報生成部９６は、トラフィックの監視結果を示すトラフィック情報を生成し、トラフィック情報送信部９７は、生成されたトラフィック情報を輻輳制御管理部７に送信する。
【００５７】
上記の動作は、全ての呼接続制御部９（図１に示した場合においては、呼接続制御部９ａ及び９ｂ）により実行される。
【００５８】
呼接続制御部９から送信された指示応答信号は、図５の指示応答信号受信部７５により受信され、同じく呼接続制御部９から送信されたトラフィック情報は、図５のトラフィック情報受信部７６により受信される。
【００５９】
図５の制御状況情報生成部７７は、受信された指示応答信号とトラフィック情報とに基づいて制御状況情報を生成する。この制御状況情報を、前述の２種類の情報から生成することにより、制御の履歴と、この制御によるトラフィックの変化量、つまり制御の成否の両方を得ることができる。
【００６０】
制御状況情報送信部７８は、生成された制御状況情報を輻輳判定部５に送信する。
【００６１】
上記のように輻輳制御管理部７から送信された制御状況情報は、図４の制御状況情報受信部５７により受信され、受信された制御状況情報は、制御状況情報蓄積部５８に蓄積される。
なお、前述の判定実行部５２は、判定を行うにあたって、この制御状況情報を用いる。
【００６２】
図８は、上記のトラフィック制御装置の作用を示すシーケンス図である。
信号抽出部２により通話制御信号が複製され（Ｓ１）、送信されると（Ｓ２）、信号解析部４により受信され（Ｓ３）、あふれ呼数が測定され（Ｓ４）、さらに接続呼数が測定され（Ｓ５）、測定結果が送信される（Ｓ６）。
【００６３】
送信された測定結果は、輻輳判定部５により受信され（Ｓ７）、判定が行われる（Ｓ８）、輻輳（本図においては輻輳の兆候も含む）が発生していると判定されると（Ｓ８：Ｙｅｓ）、輻輳が複数発生しているかが確認され（Ｓ９）、輻輳が複製発生している場合（Ｓ９：Ｙｅｓ）、優先的に解消若しくは防止すべき輻輳、換言すれば優先サービスがあるかが確認され（Ｓ１０）、優先サービスが存在する場合（Ｓ１０：Ｙｅｓ）、優先順位が決定され（Ｓ１１）、接続制御量が決定される（Ｓ１２）。
【００６４】
接続制御量が決定されると、輻輳制御情報が生成され（Ｓ１３）、生成された輻輳制御情報が送信される（Ｓ１４）。
【００６５】
なお、輻輳が発生していないと判定された場合（Ｓ８：Ｎｏ）は、測定結果の受信が行われ、輻輳が複数発生していない場合（Ｓ９：Ｎｏ）は、直ちに接続制御量が決定され（Ｓ１２）、優先サービスが存在しない場合（Ｓ１０：Ｎｏ）においても直ちに接続制御量が決定される（Ｓ１２）。
なお、接続呼数の測定の後にあふれ呼数が測定される構成としても良い。
【００６６】
Ｓ１４において送信された輻輳制御情報は、輻輳制御管理部７により受信され（Ｓ１５）、制御元が決定され（Ｓ１６）、接続制御指示信号が生成され（Ｓ１７）、生成された接続制御指示信号が送信される（Ｓ１８）。
【００６７】
送信された接続制御指示信号は、呼接続制御部９により受信され（Ｓ１９）、接続制御が行われる（Ｓ２０）。
【００６８】
また、上記のトラフィック制御装置がＳＩＰ（Ｓｅｓｓｉｏｎ  Ｉｎｉｔｉａｔｉｏｎ  Ｐｒｏｔｏｃｏｌ）が用いられる通話制御信号を処理対象とする場合、あふれ呼及び接続呼を測定するにあたっては、図９の示す手順（Ｓ１０１からＳ１１１）がふまれ、図中の応答コードにより各判定が行われる。
【００６９】
なお、図中の応答コード１８０は「Ｒｉｎｇｉｎｇ（呼び出し中）」、応答コード２００は「ＯＫ」、応答コード４０１は「Ｕｎａｕｔｈｏｒｉｚｅｄ  （認可されていない）」、応答コード４０７は「Ｐｒｏｘｙ  Ａｕｔｈｅｎｔｉｃａｔｉｏｎ  Ｒｅｑｕｉｒｅｄ（プロキシ認証が必要）」、応答コード５０３は「Ｓｅｒｖｉｃｅ  Ｕｎａｖａｉｌａｂｌｅ（サービスを利用できない）」旨を示す。
【００７０】
また、上記の応答コードは、百の位でその意味が分類されており、図中の４ｘｘ（４００番台）は「リクエスト失敗応答」、５ｘｘ（５００番台）は「サーバでの失敗応答」、６ｘｘ（６００番台）は「グローバル失敗応答」を示す。
【００７１】
上記のようなトラフィック制御装置としては、ＣＰＵ（Ｃｅｎｔｒａｌ  Ｐｒｏｃｅｓｓｉｎｇ  Ｕｎｉｔ）、ハードディスクドライブ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、キーボード、ディスプレイ、フレキシブルディスクドライブ、通信ネットワークに接続して通信を行うための通信部等を有したコンピュータを用いることが可能である。これにあたっては、コンピュータに前述の各部を機能を実行させるためのトラフィック制御プログラムを読み取らせ、実行させる。
【００７２】
したがって、上記のトラフィック制御プログラムと、このプログラムを記録したフレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＰＣカード等のコンピュータで読み取り可能なプログラム記録媒体も本発明の範囲に含まれる。
【００７３】
また、このようなトラフィック制御装置を用いるトラフィック制御方法も本発明の範囲に含まれる。
【００７４】
【発明の効果】
上記のとおり、呼接続制御手段は、輻輳制御情報を解析し、接続制御量に基づいて、加入者への呼に対して呼損処理を行うことにより呼の接続数を制御するため、輻輳の解消若しくは防止が可能となる。
【００７５】
また、信号抽出手段が通信ネットワーク上で送受される通話制御信号を抽出し、輻輳判定手段が一括して判定を行うため、輻輳若しくはその兆候が発生しているかを判定するための手段をネットワーク構成機器其々に設ける必要がなく、コストの低減が可能となる。
【００７６】
したがって、コストが低減され、且つトラフィックを正確に制御可能なトラフィック制御装置、トラフィック制御プログラム、プログラム記録媒体及びトラフィック制御方法を提供することが可能となる。
【図面の簡単な説明】
【図１】本発明のトラフィック制御装置の構成の構成を示すブロック図である。
【図２】図１の信号抽出部の構成を示すブロック図である。
【図３】図１の信号解析部の構成を示すブロック図である。
【図４】図１の輻輳判定部の構成を示すブロック図である。
【図５】図１の輻輳制御管理部の構成を示すブロック図である。
【図６】図１の呼接続制御部の構成を示すブロック図である。
【図７】図１の信号抽出部による通話信号抽出を説明する図である。
【図８】図１のトラフィック制御装置の作用を示す図である。
【図９】ＳＩＰが用いられた呼の状態遷移を示す図である。
【符号の説明】
１  信号抽出装置
２  信号抽出部
３  輻輳検知装置
４  信号解析部
５  輻輳判定部
６  輻輳制御管理装置
７  輻輳制御管理部
８ａ、８ｂ  呼接続制御装置
９ａ、９ｂ  呼接続制御部
１０ａ、１０ｂ  ＩＰ網
１１ａ、１１ｂ、１１ｃ、１１ｄ、１１ｅ、１１ｆ  端末
２１  通話制御信号中継部
２２  通話制御信号複製部
２３  通話制御信号送信部
４１  通話制御信号受信部
４２  あふれ呼数測定部
４３  接続呼数測定部
４４  測定結果送信部
５１  測定結果受信部
５２  判定実行部
５３  優先順位決定部
５４  接続制御量決定部
５５  輻輳制御情報生成部
５６  輻輳制御情報受信部
５７  制御状況情報受信部
５８  制御状況情報蓄積部
７１  輻輳制御情報受信部
７２  制御元決定部
７３  接続制御指示信号生成部
７４  接続制御指示信号送信部
７５  指示応答信号受信部
７６  トラフィック情報受信部
７７  制御状況情報生成部
７８  制御状況情報送信部
９１  接続制御指示信号受信部
９２  接続制御実行部
９３  指示応答信号生成部
９４  指示応答信号送信部
９５  トラフィック監視部
９６  トラフィック情報生成部
９７  トラフィック情報送信部
【図１】
2004304646.tif 000005
【図２】
2004304646.tif 000006
【図３】
2004304646.tif 000007
【図４】
2004304646.tif 000008
【図５】
2004304646.tif 000009
【図６】
2004304646.tif 000010
【図７】
2004304646.tif 000011
【図８】
2004304646.tif 000012
【図９】
2004304646.tif 000013